(57)【特許請求の範囲】
【請求項１】
可動な家具構成部材に固定可能なちょう番部分と、該ちょう番部分に関節的に結合されているちょう番アームと、該ちょう番アームに関節的に結合されていて、２つの固定ねじ（１６）で不動の家具構成部材（１１）に固定可能な取り付け板（１０）とを有し、該取り付け板（１０）が前記不動の家具構成部材（１１）の袋穴又は孔（１５）内に係合する、円筒形の基本輪郭を備えた、前記固定ねじ（１６）と同じ数の中実の保持ピン（１４）を有している形式の家具のちょう番において、前記固定ねじ（１６）のねじ山が前記保持ピン（１４）の所定の円周角度領域に亙って該保持ピン（１４）にねじを切込むように、それぞれ対応する前記保持ピン（１４）に偏心的にねじ込まれていることを特徴とする、家具のちょう番。
【請求項２】
前記保持ピン（１４）に偏心的にねじ込まれる２つの前記固定ねじ（１６）が、該当する２つの前記保持ピン（１４）の軸線を結ぶ仮想接続線に対して、互いに逆向きに配置されている、請求項１記載の家具のちょう番。
【請求項３】
前記保持ピン（１４）がその自由端部の領域にて、前記固定ねじ（１６）がねじ込まれた側とは逆の側に、該保持ピン（１４）の軸線に対して傾斜した傾斜面（２０）を有している、請求項１又は２項記載の家具のちょう番。
【請求項４】
前記各保持ピン（１４）が、前記固定ねじ（１６）がねじ込まれた側に、該保持ピン（１４）の軸線に対して傾斜した面取り部を有している、請求項１から３までのいずれか１項記載の家具のちょう番。
【請求項５】
前記各固定ねじ（１６）の軸部の長さが、前記取り付け板（１０）が固定される前記不動の家具部分の厚さの半分よりも大きいことを特徴とする、請求項１から４までのいずれか１項記載の家具ちょう番の取付け構造。
【発明の詳細な説明】
【０００１】
【発明の属する技術分野】
本発明は，可動の家具構成部材に固定可能なちょう番部分と，このちょう番部分に関節的に結合されているちょう番アームと，このちょう番アームに関節的に結合されていて不動の家具構成部材に例えば２つの固定ねじによって固定可能な取り付け板とを有し，この取り付け板は，不動の家具構成部材の袋穴又は孔内に係合する，固定ねじと同じ数の保持ピンを有している形式の家具のちょう番に関する。
【０００２】
【従来の技術】
このような３つの部分から成る家具用ちょう番は種々の構造のものが周知であり，例えばヨーロッパ特許庁特許第０ ２６９ ７０１ Ｂ１号明細書に記載されている。普通は前記ちょう番部分は水平方向に旋回可能な家具扉，あるいは鉛直方向に旋回可能な家具扉に固定されるのに対し，前記取り付け板は鉛直又は水平の不動の家具壁に固定される。
【０００３】
有利な構造の家具用ちょう番においては，保持ピンは拡開可能なスリーブとして構成されていて，このスリーブ内に固定ねじがねじ込まれる。取り付け板は大抵は金属から成っているのに対し，拡開可能なスリーブは合成物質から成っていて，金属の取り付け板と結合されている。このような拡開可能なスリーブが場合によっては損傷したり，破損したりすることは，回避することができない。拡開可能なスリーブが損傷したり，破損したりすると，付加的なねじを使用して取り付け板を不動の家具構成部材に固定しなければならない。普通は，取り付け板には直接的又は間接的にちょう番アームが周知の任意の形式で枢着される。
【０００４】
更に，取り付け板の固定が，２つの保持ピンの間の中間に位置する固定ねじによって行われる家具用ちょう番は公知である。
【０００５】
【発明が解決しようとする課題】
本発明の課題は，最初に述べた形式の家具のちょう番を改良して，取り付け板と不動の家具構成部材とが耐久的に，極めて大きな負荷に耐え得るように，結合されるようにすることである。
【０００６】
【課題を解決するための手段】
この課題を解決するために本発明の構成では，固定ねじが，保持ピンの外周面の周方向の一部分に密着するように配置されているようにした。
【０００７】
【発明の実施の形態】
ねじ込まれた固定ねじの，保持ピンと密着している外周部分のねじ山が，保持ピン外周面に切り込んでいるようにすると，取り付け板と不動の家具構成部材との間の結合は更に強固に行われる。すなわち，固定ねじは普通はねじ山が被固定物を固定する部材の材料内に切り込んでいくねじ（木ねじ）であって，固定ねじをねじ込むと，固定ねじのねじ山が保持ピン内に切り込み，固定ねじと保持ピンとの間に付加的な結合が行われる。この場合保持ピンが内実に構成されていると，特に有利である。それは切り込みによる保持ピンの変形が生じないからである。
【０００８】
別の有利な実施形態では，２つの固定ねじの一方が保持ピンの一方の側に，かつ他方の固定ねじが保持ピンの他方の側に配置されている。これによって固定ねじが，保持ピンの間の仮想接続線に関して対称的に配置され，内部応力の導出の点で極めて有利である。
【０００９】
多くの場合において，１つの不動の家具構成部材，例えば戸棚の１つの仕切り壁の両側に家具用ちょう番が取り付けられる。このような場合，両方の取り付け板は高さ方向あるいは水平方向で同じ位置に固定される。したがって各固定ねじの軸部の長さは，両側からねじ込まれる固定ねじがぶつかり合わないような長さに，つまり板状の家具構成部材の厚さの半分よりも大きくならないように，決めなければならないことになる。
【００１０】
しかし本発明による家具のちょう番においては，１つの不動の家具構成部材の固定される２つの取り付け板の固定ねじは互いにずらされているので，各固定ねじの軸部の長さが，取り付け板が固定される不動の家具部分の厚さの半分よりも大きいようにし，両方の固定ねじの端部範囲が不動の家具部分内で互いにオーバラップするようにすることができる。これによって耐負荷強度が著しく増大せしめられる。不動の家具構成部材に逆の側からねじ込まれる固定ねじの端部範囲が保持ピンを損傷させないようにするために，本発明の有利な実施形態においては，各保持ピンがその自由端部の範囲の，固定ねじが密着する側とは逆の側に，傾斜面を有している。更にこれによって，逆の側から固定ねじをねじ込むためのトルクが過度に大きくなることが防止される。
【００１１】
更に本発明の有利な実施形態においては，各保持ピンが，固定ねじが密着する側に面取り部を有している。これによって固定ねじのねじ山の保持ピン内への切り込みが申し分なく行われる。この場合，固定ねじの軸線はねじ込み前の状態ではほぼ袋穴の壁面に沿って延びている。面取り部の面は，固定ねじの軸部の横断面形に適合するように湾曲させておくこともできる。
【００１２】
【実施例】
以下においては，図面に示した実施例に基づいて本発明の構成を具体的に説明する。
【００１３】
本発明においては，ちょう番の取り付け板１０を不動の家具構成部材１１に固定する構成だけが問題であり，したがってちょう番の可動の家具構成部材に固定されるちょう番部分と，このちょう番部分に関節的に結合されているちょう番アームは，図面を見やすくするために図示していない。ここではちょう番アームは取り付け板１０に周知の任意の形式で関節的に結合される（枢着される）ことだけを指摘しておく。
【００１４】
図１及び図２においては，取り付け板１０が不動の家具構成部材１１，例えば家具の側壁に当て付けられている。取り付け板１０は２つの固定フランジ１２を有しており，これらの固定フランジ１２の直角に折り曲げられている縁部は不動の家具構成部材１１に支えられている。この取り付け板１０には，前述のように，図示していない形式で，家具用ちょう番のちょう番アームが直接的又は間接的に枢着される。
【００１５】
図示の実施例では金属から製作されている取り付け板１０は，２つの保持ピン１４を備えた合成物質部分１３を有しており，これらの保持ピンは不動の家具構成部材１１の孔１５内に係合している。例えば不動の家具構成部材１１が片側だけに取り付け板１０を固定されるか，あるいは両側に取り付け板１０を固定されるかに応じて，孔１５は袋穴であってもよいし，貫通孔であってもよい。
【００１６】
図１及び図２に示した実施例では，取り付け板１０を不動の家具構成部材１１に固定するために，２つの固定ねじ１６が使用されており，これらの固定ねじの軸部は図２に示したねじ込み状態では両方の保持ピン１４と並んでその側方に位置している。各固定ねじ１６の縦中心軸線は，ねじ込まれていない状態では，孔１５の壁面のところに位置している。ねじ込みが行われると，各固定ねじ１６の縦中心軸線は，図２に示すように，孔１５に対して鋭角に延びる。この場合各保持ピン１４は固定ねじ１６に向いた側に斜めの面取り部を備えており，この面取り部は，各保持ピン１４の端部範囲の横断面が円形のままであるような傾斜角度で，形成されている。この面取り部によって，固定ねじのねじ込みの際に，固定ねじのねじ山が保持ピン１４の面取り部に切り込み，固定ねじ１６の縦中心軸線が孔１５若しくは保持ピン１４の縦中心軸線に対して鋭角に傾斜せしめられる。固定ねじ１６がこのように傾斜せしめられることによって，極めて大きな負荷に耐える結合が行われる。
【００１７】
図１〜図３に示すように，固定ねじ１６の軸部の長さは板状の不動の家具構成部材１１の厚さの半分よりも大きい。図３の実施例では不動の家具構成部材１１の両側にそれぞれ１つの取り付け板１０が固定されている。これら両方の取り付け板１０は不動の家具構成部材１１の中心平面に関して対称的に位置している。
【００１８】
取り付け板１０を本発明のように構成することによって，固定ねじ１６の軸部の端部範囲を図３に示すように不動の家具構成部材１１の内部でオーバラップさせることが可能である。それは，両方の互いに同軸的な保持ピン１４に所属する両方の固定ねじ１６が互いにずらされているからである。固定ねじ１６の各軸部の端部範囲のために空所を形成するために，固定ねじ１６の端部範囲に相応する範囲において，保持ピン１４に傾斜面２０が形成されている。
【００１９】
図４は取り付け板１０の平面図を示す。不動の家具構成部材１１に面した下面において，取り付け板１０は合成物質成形部材１７を備えており，この合成物質成形部材は互いに間隔をおいて配置されている両方の保持ピン１４を有しており，これらの保持ピンは孔１５内にある程度の力を加えて押し込みかん合せしめられる。
【００２０】
図４及び図５から分かるように，両方の固定ねじ１６は保持ピン１４の互いに逆の側に配置されており，両方の保持ピンの仮想接続線に対して互いに逆向きにずらされている。
【００２１】
図１〜図３並びに図４及び図５から分かるように，取り付け板１０の，固定フランジ１２の間の範囲はＵ字形に構成されている。このＵ字形の中央範囲はちょう番アームを取り付け板１０に枢着する部材を正確に位置決めして固定するねじをねじ込む孔１８及び座ぐりされた孔１９を有している。
【００２２】
特に図５から明りょうに分かるように，固定ねじ１６は，そのねじ山が保持ピン１４に切り込むような程度に，その都度の保持ピン１４の縦中心軸線に対してずらされている。更に，保持ピン１４の，固定ねじ１６とは逆の側に傾斜面２０が示されている。また取り付け板１０が，不動の家具構成部材１１の支持面に支えられる合成物質部分１３を備え，この合成物質部分が保持ピン１４を有していることが図５に示されている。
【００２３】
本発明は図示の実施例に限定されるものではなく，更に種々の態様で実施することができる。本発明において重要なことは，固定ねじ１６が孔１５内に係合する保持ピン１４に対して，同軸的ではなく，ずらされていることである。
【００２４】
【発明の効果】
本発明の構成によって，取り付け板の固定は，不動の家具構成部材の袋穴内にぴったりと，普通は圧入によって，かん合せしめられる保持ピンと，固定ねじとによって強固に行われる。固定ねじは保持ピンの外周の一部に密着していて，保持ピン内には突入していないので，保持ピンが損傷又は破損せしめられる危険はなく，極めて耐久的で，大きな負荷に耐えることができる結合が行われる。
【図面の簡単な説明】
【図１】家具構成部材に当てつけられ，固定ねじがまだねじ込まれていない状態の取り付け板を示す。
【図２】図１に相応する図であるが，しかし固定ねじがねじ込まれている状態を示す。
【図３】図２に相応する図であるが，しかし家具構成部材の両側に取り付け板が配置されている構造を示す。
【図４】図１〜図３における取り付け板の平面図を示す。
【図５】図１〜図３における取り付け板の下面図を示す。
【符号の説明】
１０  取り付け板，  １１  不動の家具構成部材，  １２  固定フランジ，  １３  合成物質部分，  １４  保持ピン，  １５  孔，  １６  固定ねじ，  １７  合成物質成形部材，  １８及び１９  孔，  ２０  傾斜面
【図１】
0004309490.tif 000002
【図２】
0004309490.tif 000003
【図３】
0004309490.tif 000004
【図４】
0004309490.tif 000005
【図５】
0004309490.tif 000006